(57)【要約】【課題】インクタンクから記録ヘッドへとインクを導くインクチューブをより一層適切に固定する。【解決手段】インクジェットプリンター１は、用紙に記録を行う記録部２の上部にスキャナユニット３を開閉可能に備えている。記録ヘッド１６を搭載するヘッドユニット１５からはインクチューブ２１が延出し、このインクチューブ２１は装置外部に設けられたインクタンク３２Ａ〜３２Ｄに向かう。ハウジング３０に設けられた開口部３１には開口部配設部材２４Ａが、開口部３１を跨がる様に設けられ、即ち両端支持された状態で設けられている。インクチューブ２１は、この開口部配設部材２４Ａに固定される。【選択図】図１
2013154573.tif 000002
【特許請求の範囲】
【請求項１】
インクを吐出する記録ヘッドを備えるとともに、所定の移動方向に移動可能なヘッドユニットと、
前記ヘッドユニットの移動領域における少なくとも一部の移動領域上部を露呈させる開口部を備えたハウジングと、
前記ヘッドユニットに接続され、インクが収容されたインク収容部から送られるインクを前記記録ヘッドへと導く、可撓性を有するインクチューブと、
前記インクチューブの位置を規制する部材であり、前記開口部を跨がって配設される開口部配設部材と、
を備えたインクジェット記録装置。
【請求項２】
インクを吐出する記録ヘッドを備えるとともに、所定の移動方向に移動可能なヘッドユニットと、
前記ヘッドユニットの移動領域における少なくとも一部の移動領域上部を露呈させる開口部を備えたハウジングと、
前記ヘッドユニットに接続され、インクが収容されたインク収容部から送られるインクを前記記録ヘッドへと導く、可撓性を有するインクチューブと、
前記インクチューブを固定する部材であり、前記開口部を跨がって配設される開口部配設部材と、
を備えたインクジェット記録装置。
【請求項３】
インクを吐出する記録ヘッドを備えるとともに、所定の移動方向に移動可能なヘッドユニットと、
前記ヘッドユニットの移動領域における少なくとも一部の移動領域上部を露呈させる開口部を備えたハウジングと、
前記ヘッドユニットに接続され、インクが収容されたインク収容部から送られるインクを前記記録ヘッドへと導く、可撓性を有するインクチューブと、
前記インクチューブを支持する部材であり、前記開口部を跨がって配設される開口部配設部材と、
を備えたインクジェット記録装置。
【請求項４】
インクを吐出する記録ヘッドを備えるとともに、所定の移動方向に移動可能なヘッドユニットと、
前記ヘッドユニットの移動領域における少なくとも一部の移動領域上部を露呈させる開口部を備えたハウジングと、
前記ヘッドユニットに接続され、インクが収容されたインク収容部から送られるインクを前記記録ヘッドへと導く、可撓性を有するインクチューブと、
前記インクチューブをガイドする部材であり、前記開口部を跨がって配設される開口部配設部材と、
を備えたインクジェット記録装置。
【請求項５】
インクを吐出する記録ヘッドを備えるとともに、所定の移動方向に移動可能なヘッドユニットと、
前記ヘッドユニットの移動領域における少なくとも一部の移動領域上部を露呈させる開口部を備えたハウジングと、
前記ヘッドユニットに接続され、インクが収容されたインク収容部から送られるインクを前記記録ヘッドへと導く、可撓性を有するインクチューブと、
前記インクチューブを載置する部材であり、前記開口部を跨がって配設される開口部配設部材と、
を備えたインクジェット記録装置。
【請求項６】
インクを吐出する記録ヘッドを備えるとともに、所定の移動方向に移動可能なヘッドユニットと、
前記ヘッドユニットの移動領域における少なくとも一部の移動領域上部を露呈させる開口部を備えたハウジングと、
前記ヘッドユニットに接続され、インクが収容されたインク収容部から送られるインクを前記記録ヘッドへと導く、可撓性を有するインクチューブと、
前記インクチューブを吊り下げる部材であり、前記開口部を跨がって配設される開口部配設部材と、
を備えたインクジェット記録装置。
【請求項７】
請求項１から６のいずれか１項に記載のインクジェット記録装置において、前記開口部配設部材は、前記開口部の平面視において少なくとも一部が前記ヘッドユニットの移動領域に差し掛かっている、
ことを特徴とするインクジェット記録装置。
【請求項８】
請求項１から６のいずれか１項に記載のインクジェット記録装置において、前記開口部配設部材は、前記開口部の平面視において前記ヘッドユニットの移動領域から外れる様に設けられている、
ことを特徴とするインクジェット記録装置。
【請求項９】
請求項１から６のいずれか１項に記載のインクジェット記録装置において、前記開口部配設部材は、前記インクジェット記録装置において記録が行われた被記録媒体が排出される排出口が設けられた側を装置前方側としたときに、前記開口部の装置後方寄りにおいて左右方向に前記開口部を跨がって設けられている、
ことを特徴とするインクジェット記録装置。
【請求項１０】
請求項９に記載のインクジェット記録装置において、装置後方側に、被記録媒体を給送する給送部を備え、
前記インクチューブは、前記給送部に形成された被記録媒体差し込み口から前記ハウジングの外側に出て前記ハウジングの外側に配設された前記インク収容部へと向かう、
ことを特徴とするインクジェット記録装置。
【請求項１１】
請求項１から６のいずれか１項に記載のインクジェット記録装置において、前記開口部配設部材は、前記インクジェット記録装置において記録が行われた被記録媒体が排出される排出口が設けられた側を装置前方側としたときに、前記開口部の装置前方寄りにおいて左右方向に前記開口部を跨がって設けられている、
ことを特徴とするインクジェット記録装置。
【請求項１２】
請求項１１に記載のインクジェット記録装置において、前記インクチューブを複数本備え、
複数本の前記インクチューブのうち少なくとも１本以上のインクチューブが、前記ハウジングの左側から前記ハウジングの外側に出て、残るインクチューブが、前記ハウジングの右側から前記ハウジングの外側に出る、
ことを特徴とするインクジェット記録装置。
【請求項１３】
請求項１から６のいずれか１項に記載のインクジェット記録装置において、前記開口部配設部材は、前記インクジェット記録装置において記録が行われた被記録媒体が排出される排出口が設けられた側を装置前方側としたときに、前後方向に前記開口部を跨がって設けられている、
ことを特徴とするインクジェット記録装置。
【請求項１４】
請求項１３に記載のインクジェット記録装置において、装置前面に操作パネルを備えたパネルユニットを有し、
前記開口部配設部材は、前方側が前記パネルユニットにより支持されている、
ことを特徴とするインクジェット記録装置。
【請求項１５】
請求項１４に記載のインクジェット記録装置において、前記インクチューブは、前記排出口から前記ハウジングの外側に出る、
ことを特徴とするインクジェット記録装置。
【請求項１６】
請求項１から６のいずれか１項に記載のインクジェット記録装置において、前記開口部配設部材は、前記インクジェット記録装置において記録が行われた被記録媒体が排出される排出口が設けられた側を装置前方側としたときに、前記開口部の前後方向及び左右方向の双方向に対し交差する方向に前記開口部を跨がって設けられている、
ことを特徴とするインクジェット記録装置。
【請求項１７】
請求項１から６のいずれか１項に記載のインクジェット記録装置において、前記開口部は、前記インクジェット記録装置において記録が行われた被記録媒体が排出される排出口が設けられた側を装置前方側としたときに、装置前方側に位置する第１開口領域と、当該第１開口領域より装置後方側に位置し、前記第１開口領域より大きく開口する第２開口領域と、のこれら開口領域が連なって平面視略Ｔ字形の形状を成しており、
前記開口部配設部材は、前記第２開口領域の左右いずれかの端部において、前後方向に前記開口部を跨がって設けられている、
ことを特徴とするインクジェット記録装置。
【請求項１８】
請求項１から６のいずれか１項に記載のインクジェット記録装置において、前記開口部配設部材が、ワイヤー状部材である、
ことを特徴とするインクジェット記録装置。
【請求項１９】
請求項１から６のいずれか１項に記載のインクジェット記録装置において、前記開口部配設部材において前記インクチューブが固定された第１固定位置と、前記ヘッドユニットにおいて前記インクチューブが固定された第２固定位置と、の間における前記インクチューブが、前記ヘッドユニットの移動動作に伴って変形する、
ことを特徴とするインクジェット記録装置。
【請求項２０】
請求項１から６のいずれか１項に記載のインクジェット記録装置において、前記インクチューブを複数本備えるとともに、当該複数本のインクチューブが結束手段によって結束されている、
ことを特徴とするインクジェット記録装置。
【請求項２１】
請求項１から６のいずれか１項に記載のインクジェット記録装置において、前記ハウジングの外側に前記インク収容部を備えている、
ことを特徴とするインクジェット記録装置。
【請求項２２】
請求項１から６のいずれか１項に記載のインクジェット記録装置において、前記開口部を開閉する開閉体を備えている、
ことを特徴とするインクジェット記録装置。
【請求項２３】
請求項２２に記載のインクジェット記録装置において、前記インクチューブが、前記開口部から前記ハウジングの上面を通って前記ハウジングの外側に出ており、
前記開口部配設部材が前記ハウジングの上面に設けられ、前記開口部配設部材の少なくとも一部が、前記ハウジングと前記開閉体との間に少なくとも前記インクチューブが通る隙間を形成する、
ことを特徴とするインクジェット記録装置。
【請求項２４】
請求項２３に記載のインクジェット記録装置において、前記隙間が、前記インクチューブの外径以上である、
ことを特徴とするインクジェット記録装置。
【発明の詳細な説明】
【技術分野】
【０００１】
本発明は、ファクシミリやプリンターに代表されるインクジェット記録装置に関し、特に記録ヘッドを備えるとともに所定の移動方向に移動可能なヘッドユニットと、当該ヘッドユニットから独立したインク収容部と、ヘッドユニットとインク収容部との間のインク流路を形成するインクチューブと、を備えたインクジェット記録装置に関する。
【背景技術】
【０００２】
ファクシミリやプリンターに代表される記録装置、その中でも特にインクジェット記録装置には、インクを吐出する記録ヘッドを備えるとともに所定の移動方向に移動可能なヘッドユニット（キャリッジと呼ばれる場合もある）を備えた、所謂シリアル式のインクジェット記録装置がある。
【０００３】
ここで、ヘッドユニットには、インクを収容するインク収容部（以下では適宜「インクカートリッジ」と言う）を搭載するものと、インクカートリッジを搭載しないものとがある。
【０００４】
ヘッドユニットにインクカートリッジを搭載するものは、ヘッドユニットはインクカートリッジを搭載した状態で所定方向に往復動し、ヘッドユニット内部で、インクカートリッジから記録ヘッドへとインクが供給される。インクカートリッジを搭載しないものは、インクカートリッジがヘッドユニットから独立して設けられ、インクカートリッジとヘッドユニット（記録ヘッド）とは、インク供給用のインクチューブによって連通される（例えば、特許文献１）。
【先行技術文献】
【特許文献】
【０００５】
【特許文献１】特開２０１０−１３１８９３号公報
【発明の概要】
【発明が解決しようとする課題】
【０００６】
上述のインクチューブは或る程度の長さを有しており、またヘッドユニットの移動動作に伴って変形もすることから、装置内部で完全に自由な状態で引き回すことは不適切であり、従って装置内部の適宜の場所で固定されていた。しかしながら従来、インクチューブは装置レイアウト上必ずしも適切な位置では固定されておらず、無駄な引き回しによりインクチューブが長尺化するなどの弊害が生じていた。
【０００７】
加えて、インクチューブは上述の通りヘッドユニットの移動動作に伴い変形する区間があることから、確実な固定が望まれる。  
そこで本発明はこの様な状況に鑑みなされたものであり、その目的は、インクチューブをより一層適切に固定することにある。
【課題を解決するための手段】
【０００８】
上記課題を解決する為の、本発明の第１の態様に係るインクジェット記録装置は、インクを吐出する記録ヘッドを備えるとともに、所定の移動方向に移動可能なヘッドユニットと、前記ヘッドユニットの移動領域における少なくとも一部の移動領域上部を露呈させる開口部を備えたハウジングと、前記ヘッドユニットに接続され、インクが収容されたインク収容部から送られるインクを前記記録ヘッドへと導く、可撓性を有するインクチューブと、前記インクチューブの位置を規制する部材であり、前記開口部を跨がって配設される開口部配設部材と、を備えたインクジェット記録装置である。
【０００９】
本態様によれば、インクチューブは、ヘッドユニットの移動領域における少なくとも一部の移動領域上部を露呈させる開口部を跨がって配設される開口部配設部材により位置が規制されるので、上記開口部を利用してインクチューブの位置を規制することで、インクチューブの無駄な引き回しを抑えることができる。加えて、前記開口部配設部材は前記開口部を跨がって配設され、即ち前記開口部の両側で支持されるので、前記開口部配設部材の変形（特に、撓み）を抑制することができ、インクチューブをより適切に固定できる。
【００１０】
本発明の第２の態様に係るインクジェット記録装置は、インクを吐出する記録ヘッドを備えるとともに、所定の移動方向に移動可能なヘッドユニットと、前記ヘッドユニットの移動領域における少なくとも一部の移動領域上部を露呈させる開口部を備えたハウジングと、前記ヘッドユニットに接続され、インクが収容されたインク収容部から送られるインクを前記記録ヘッドへと導く、可撓性を有するインクチューブと、前記インクチューブを固定する部材であり、前記開口部を跨がって配設される開口部配設部材と、を備えたインクジェット記録装置である。
【００１１】
本態様によれば、インクチューブは、ヘッドユニットの移動領域における少なくとも一部の移動領域上部を露呈させる開口部を跨がって配設される開口部配設部材により固定されるので、上記開口部を利用してインクチューブを固定することで、インクチューブの無駄な引き回しを抑えることができる。加えて、前記開口部配設部材は前記開口部を跨がって配設され、即ち前記開口部の両側で支持されるので、前記開口部配設部材の変形（特に、撓み）を抑制することができ、インクチューブをより適切に固定できる。
【００１２】
本発明の第３の態様に係るインクジェット記録装置は、インクを吐出する記録ヘッドを備えるとともに、所定の移動方向に移動可能なヘッドユニットと、前記ヘッドユニットの移動領域における少なくとも一部の移動領域上部を露呈させる開口部を備えたハウジングと、前記ヘッドユニットに接続され、インクが収容されたインク収容部から送られるインクを前記記録ヘッドへと導く、可撓性を有するインクチューブと、前記インクチューブを支持する部材であり、前記開口部を跨がって配設される開口部配設部材と、を備えたインクジェット記録装置である。
【００１３】
本態様によれば、インクチューブは、ヘッドユニットの移動領域における少なくとも一部の移動領域上部を露呈させる開口部を跨がって配設される開口部配設部材により支持されるので、上記開口部を利用してインクチューブを支持することで、インクチューブの無駄な引き回しを抑えることができる。加えて、前記開口部配設部材は前記開口部を跨がって配設され、即ち前記開口部の両側で支持されるので、前記開口部配設部材の変形（特に、撓み）を抑制することができ、インクチューブをより適切に固定できる。
【００１４】
本発明の第４の態様に係るインクジェット記録装置は、インクを吐出する記録ヘッドを備えるとともに、所定の移動方向に移動可能なヘッドユニットと、前記ヘッドユニットの移動領域における少なくとも一部の移動領域上部を露呈させる開口部を備えたハウジングと、前記ヘッドユニットに接続され、インクが収容されたインク収容部から送られるインクを前記記録ヘッドへと導く、可撓性を有するインクチューブと、前記インクチューブをガイドする部材であり、前記開口部を跨がって配設される開口部配設部材と、を備えたインクジェット記録装置である。
【００１５】
本態様によれば、インクチューブは、ヘッドユニットの移動領域における少なくとも一部の移動領域上部を露呈させる開口部を跨がって配設される開口部配設部材によりガイドされるので、上記開口部を利用してインクチューブをガイドすることで、インクチューブの無駄な引き回しを抑えることができる。加えて、前記開口部配設部材は前記開口部を跨がって配設され、即ち前記開口部の両側で支持されるので、前記開口部配設部材の変形（特に、撓み）を抑制することができ、インクチューブをより適切に固定できる。
【００１６】
本発明の第５の態様に係るインクジェット記録装置は、インクを吐出する記録ヘッドを備えるとともに、所定の移動方向に移動可能なヘッドユニットと、前記ヘッドユニットの移動領域における少なくとも一部の移動領域上部を露呈させる開口部を備えたハウジングと、前記ヘッドユニットに接続され、インクが収容されたインク収容部から送られるインクを前記記録ヘッドへと導く、可撓性を有するインクチューブと、前記インクチューブを載置する部材であり、前記開口部を跨がって配設される開口部配設部材と、を備えたインクジェット記録装置である。
【００１７】
本態様によれば、インクチューブは、ヘッドユニットの移動領域における少なくとも一部の移動領域上部を露呈させる開口部を跨がって配設される開口部配設部材により載置されるので、上記開口部を利用してインクチューブを前記開口部配設部材に載置することで、インクチューブの無駄な引き回しを抑えることができる。加えて、前記開口部配設部材は前記開口部を跨がって配設され、即ち前記開口部の両側で支持されるので、前記開口部配設部材の変形（特に、撓み）を抑制することができ、インクチューブをより適切に固定できる。
【００１８】
本発明の第６の態様に係るインクジェット記録装置は、インクを吐出する記録ヘッドを備えるとともに、所定の移動方向に移動可能なヘッドユニットと、前記ヘッドユニットの移動領域における少なくとも一部の移動領域上部を露呈させる開口部を備えたハウジングと、前記ヘッドユニットに接続され、インクが収容されたインク収容部から送られるインクを前記記録ヘッドへと導く、可撓性を有するインクチューブと、前記インクチューブを吊り下げる部材であり、前記開口部を跨がって配設される開口部配設部材と、を備えたインクジェット記録装置である。
【００１９】
本態様によれば、インクチューブは、ヘッドユニットの移動領域における少なくとも一部の移動領域上部を露呈させる開口部を跨がって配設される開口部配設部材により吊り下げられるので、上記開口部を利用してインクチューブを吊り下げることで、インクチューブの無駄な引き回しを抑えることができる。加えて、前記開口部配設部材は前記開口部を跨がって配設され、即ち前記開口部の両側で支持されるので、前記開口部配設部材の変形（特に、撓み）を抑制することができ、インクチューブをより適切に固定できる。
【００２０】
本発明の第７の態様に係るインクジェット記録装置は、第１から第６の態様のいずれかにおいて、前記開口部配設部材は、前記開口部の平面視において少なくとも一部が前記ヘッドユニットの移動領域に差し掛かっていることを特徴とする。
【００２１】
本発明の第８の態様に係るインクジェット記録装置は、第１から第６の態様のいずれかにおいて、前記開口部配設部材は、前記開口部の平面視において前記ヘッドユニットの移動領域から外れる様に設けられている、ことを特徴とする。
【００２２】
本発明の第９の態様に係るインクジェット記録装置は、第１から第６の態様のいずれかにおいて、前記開口部配設部材は、前記インクジェット記録装置において記録が行われた被記録媒体が排出される排出口が設けられた側を装置前方側としたときに、前記開口部の装置後方寄りにおいて左右方向に前記開口部を跨がって設けられている、ことを特徴とする。
【００２３】
本発明の第１０の態様に係るインクジェット記録装置は、第９の態様において、装置後方側に、被記録媒体を給送する給送部を備え、前記インクチューブは、前記給送部に形成された被記録媒体差し込み口から前記ハウジングの外側に出て前記ハウジングの外側に配設された前記インク収容部へと向かうことを特徴とする。
【００２４】
本発明の第１１の態様に係るインクジェット記録装置は、第１から第６の態様のいずれかにおいて、前記開口部配設部材は、前記インクジェット記録装置において記録が行われた被記録媒体が排出される排出口が設けられた側を装置前方側としたときに、前記開口部の装置前方寄りにおいて左右方向に前記開口部を跨がって設けられている、ことを特徴とする。
【００２５】
本発明の第１２の態様に係るインクジェット記録装置は、第１１の態様において、前記インクチューブを複数本備え、複数本の前記インクチューブのうち少なくとも１本以上のインクチューブが、前記ハウジングの左側から前記ハウジングの外側に出て、残るインクチューブが、前記ハウジングの右側から前記ハウジングの外側に出ることを特徴とする。
【００２６】
本発明の第１３の態様に係るインクジェット記録装置は、第１から第６の態様のいずれかにおいて、前記開口部配設部材は、前記インクジェット記録装置において記録が行われた被記録媒体が排出される排出口が設けられた側を装置前方側としたときに、前後方向に前記開口部を跨がって設けられている、ことを特徴とする。
【００２７】
本発明の第１４の態様に係るインクジェット記録装置は、第１３の態様において、装置前面に操作パネルを備えたパネルユニットを有し、前記開口部配設部材は、前方側が前記パネルユニットにより支持されている、ことを特徴とする。
【００２８】
本発明の第１５の態様に係るインクジェット記録装置は、第１４の態様のいずれかにおいて、前記インクチューブは、前記排出口から前記ハウジングの外側に出る、ことを特徴とする。
【００２９】
本発明の第１６の態様に係るインクジェット記録装置は、第１から第６の態様のいずれかにおいて、前記開口部配設部材は、前記インクジェット記録装置において記録が行われた被記録媒体が排出される排出口が設けられた側を装置前方側としたときに、前記開口部の前後方向及び左右方向の双方向に対し交差する方向に前記開口部を跨がって設けられている、ことを特徴とする。
【００３０】
本発明の第１７の態様に係るインクジェット記録装置は、第１から第６の態様のいずれかにおいて、前記開口部は、前記インクジェット記録装置において記録が行われた被記録媒体が排出される排出口が設けられた側を装置前方側としたときに、装置前方側に位置する第１開口領域と、当該第１開口領域より装置後方側に位置し、前記第１開口領域より大きく開口する第２開口領域と、のこれら開口領域が連なって平面視略Ｔ字形の形状を成しており、前記開口部配設部材は、前記第２開口領域の左右いずれかの端部において、前後方向に前記開口部を跨がって設けられている、ことを特徴とする。
【００３１】
本発明の第１８の態様に係るインクジェット記録装置は、第１から第６の態様のいずれかにおいて、前記開口部配設部材が、ワイヤー状部材である、ことを特徴とする。
【００３２】
本発明の第１９の態様に係るインクジェット記録装置は、第１から第６の態様のいずれかにおいて、前記開口部配設部材において前記インクチューブが固定された第１固定位置と、前記ヘッドユニットにおいて前記インクチューブが固定された第２固定位置と、の間における前記インクチューブが、前記ヘッドユニットの移動動作に伴って変形する、ことを特徴とする。
【００３３】
本発明の第２０の態様に係るインクジェット記録装置は、第１から第６の態様のいずれかにおいて、前記インクチューブを複数本備えるとともに、当該複数本のインクチューブが結束手段によって結束されている、ことを特徴とする。
【００３４】
本発明の第２１の態様に係るインクジェット記録装置は、第１から第６の態様のいずれかにおいて、前記ハウジングの外側に前記インク収容部を備えている、ことを特徴とする。
【００３５】
本発明の第２２の態様に係るインクジェット記録装置は、第１から第６の態様のいずれかにおいて、前記開口部を開閉する開閉体を備えている、ことを特徴とする。
【００３６】
本発明の第２３の態様に係るインクジェット記録装置は、第２２の態様において、前記インクチューブが、前記開口部から前記ハウジングの上面を通って前記ハウジングの外側に出ており、前記開口部配設部材が前記ハウジングの上面に設けられ、前記開口部配設部材の少なくとも一部が、前記ハウジングと前記開閉体との間に少なくとも前記インクチューブが通る隙間を形成する、ことを特徴とする。
【００３７】
本発明の第２４の態様に係るインクジェット記録装置は、第２３の態様において、前記隙間が、前記インクチューブの外径以上である、ことを特徴とする。
【図面の簡単な説明】
【００３８】
【図１】本発明の第１実施形態に係るインクジェットプリンターの外観斜視図。
【図２】本発明の第２実施形態に係るインクジェットプリンターの外観斜視図。
【図３】本発明の第３実施形態に係るインクジェットプリンターの外観斜視図。
【図４】本発明の第４実施形態に係るインクジェットプリンターの外観斜視図。
【図５】本発明の第５実施形態に係るインクジェットプリンターの外観斜視図。
【図６】本発明の第６実施形態に係るインクジェットプリンターの外観斜視図。
【図７】本発明の第７実施形態に係るインクジェットプリンターの外観斜視図。
【図８】（Ａ）、（Ｂ）は開口部を平面視した際の開口部配設部材の配置バリエーションを示す図。
【図９】（Ａ）、（Ｂ）は開口部配設部材を平面視した際のインクチューブの配置バリエーションを示す図。
【図１０】（Ａ）〜（Ｄ）は開口部配設部材を側面視した際のインクチューブの配置バリエーションを示す図。
【発明を実施するための形態】
【００３９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００４０】
図１〜図７は、本発明に係るインクジェット記録装置の一例としてのインクジェットプリンターの外観斜視図（図１〜図６はスキャナユニット３の開状態、図７はカバー３５の開状態）であり、それぞれ異なる実施形態（第１〜第７実施形態）を示すものである。  
また図８（Ａ）、（Ｂ）は開口部３１を平面視した際の開口部配設部材の配置バリエーションを示す図、図９（Ａ）、（Ｂ）は開口部配設部材を平面視した際のインクチューブの配置バリエーションを示す図、図１０（Ａ）〜（Ｄ）は開口部配設部材を側面視した際のインクチューブの配置バリエーションを示す図である。尚、図１〜図７、図１０においてｚ方向矢印は鉛直上向き方向を示している。図８、図９は鉛直上方から開口部或いは開口部配設部材を視た図であるのでｚ方向矢印は示していない。
【００４１】
以下、図１を代表例としてインクジェットプリンターの全体構成について概説する。尚、各図において同一の構成には同一符号を付しており、以下ではその説明は適宜省略するものとする。  
図１において、インクジェットプリンター１Ａは、媒体の一例としての記録用紙にインクジェット記録を行う記録部（装置本体）２の上部に回動体（開閉体）としてのスキャナユニット３を備えており、即ちインクジェット記録機能に加えてスキャナ機能を備える複合機として構成されている。
【００４２】
記録部２は、インクジェットプリンター１Ａの装置本体を構成し、スキャナユニット３は、記録部２に対して回動可能に設けられており、回動することにより、閉じた状態（不図示）と開いた状態（図１）とをとり得る。尚、スキャナユニット３が開いた状態は、図１では図に現れないストッパーにより維持される様になっている。
【００４３】
符号３０は記録部２の外観を構成するハウジング（筐体）であり、このハウジング上面には開口部（開口領域）３１が形成されている。この開口部３１は開口部３１ａと開口部３１ｂとで構成され、第２開口領域としての開口部３１ａは装置後方側に位置し、第１開口領域としての開口部３１ｂは装置前方側に位置している。開口部３１ａは開口部３１ｂより大きく開口し、これら開口部が連なって平面視略Ｔ字の形状を成している。尚、以下では開口部３１ａ、３１ｂを特に区別する必要の無い場合にはこれら開口部を纏めて「開口部３１」と呼ぶこととする。
【００４４】
開口部３１は後述するヘッドユニット１５の移動領域における一部の移動領域上部を露呈させる開口であり、スキャナユニット３を開くことにより、紙ジャムが生じた際のジャム処理作業（用紙の取り除き作業）を開口部３１を介して行える様になっている。尚、ヘッドユニット１５は、移動領域の右端（図１）或いは左端に位置する際は、その上部の一部又は全部がハウジング３０の下側に隠れるが、移動領域の右端或いは左端から中央側に移動することにより、上部の全部が露呈する。
【００４５】
装置後方側には用紙を給送する給送部（詳細不図示）が設けられており、符号１２は用紙を差し入れる差し込み口である給紙口を示している。この給紙口１２の内部には、セットされた用紙を給送する給送ローラー（不図示）が設けられている。尚、符号１３は用紙幅方向に変位可能に設けられた、用紙側端をガイドするエッジガイドを示している。
【００４６】
装置前方側には記録が行われた用紙が排出される排紙口５が構成されており、この排紙口５の下側には排出された用紙を受ける排紙受けトレイ６が設けられている。排紙受けトレイ６は引き出し式に構成され、図１は収納された状態を示している。  
符号９は、電源ボタンや各種印刷設定・記録実行を行う操作ボタン、印刷設定内容や印刷画像のプレビュー表示などを行う表示部、等を備えて成る操作パネルであり、符号８は当該操作パネルを備えるパネルユニットである。
【００４７】
装置内部において符号１５はヘッドユニット（キャリッジと呼ばれる場合もある）であり、このヘッドユニット１５の底部にインクを吐出する記録ヘッド１６が設けられている。ヘッドユニット１５が用紙幅方向に移動する過程において記録ヘッド１６からインクが吐出されることにより、用紙に記録が実行される。
【００４８】
続いて、記録ヘッド１６へインクを供給するインク供給系について説明する。本実施形態に係るヘッドユニット１５はインクカートリッジを搭載しておらず、ハウジング３０の側面に取り付けられたインクタンク３２（３２Ａ〜３２Ｄ）から、インク流路を形成する流路形成部材としてのインクチューブ２１（２１Ａ〜２１Ｄ）を介して、記録ヘッド１６へとインクを供給する様に構成されている。
【００４９】
より詳しくは、インクタンク３２Ａ〜３２Ｄは、それぞれ異なる色のインクを収容するインク収容部であり、例えばインクタンク３２Ａはブラック（ＢＫ）のインクを、インクタンク３２Ｂはイエロー（Ｙ）のインクを、インクタンク３２Ｃはマゼンタ（Ｍ）のインクを、インクタンク３２Ｄはシアン（Ｃ）のインクを、それぞれ収容する。
【００５０】
インクチューブ２１Ａ〜２１Ｄは可撓性を有するチューブであり、インクタンク３２Ａ〜３２Ｄから記録ヘッド１６に至るインク流路を形成する。尚、ヘッドユニット１５は、図７に現れている様に中継アダプター収容部１７により本体が構成されており、この中継アダプター収容部１７に、各インク色に対応した中継アダプター１９Ａ〜１９Ｄが収容されている。
【００５１】
中継アダプター１９Ａ〜１９Ｄは、記録ヘッド１６とインクタンク３２Ａ〜３２Ｄとを中継するアダプターであり、インクチューブ３２Ａ〜３２Ｄは、それぞれ中継アダプター１９Ａ〜１９Ｄに接続されている。換言すれば、中継アダプター１９Ａ〜１９Ｄから、ヘッドユニット１５の外側にインクチューブ３２Ａ〜３２Ｄが延出した状態となっている。
【００５２】
尚、以下ではインクタンク３２Ａ〜３２Ｄを特に区別する必要の無い場合には「インクタンク３２」と呼び、同様にインクチューブ２１Ａ〜２１Ｄを特に区別する必要の無い場合には「インクチューブ２１」と呼び、中継アダプター１９Ａ〜１９Ｄを特に区別する必要の無い場合には「中継アダプター１９」と呼ぶこととする。
【００５３】
■■■第１実施形態■■■
以下、各図を参照しつつ各実施形態におけるインクチューブ２１の引き回しについて説明する。各実施形態において共通する特徴として、インクチューブ２１は、開口部３１を跨がって配設される開口部配設部材により、開口部３１における位置が規制される様になっている。即ち、本発明に係る開口部配設部材は、その両端がハウジング３０により支持される。
【００５４】
図１のインクジェットプリンター１Ａにおいて、開口部配設部材２４Ａは、装置後方寄りの開口部３１ａにおいて左右方向に開口部３１ａを跨がって設けられ、開口部３１ａの左右においてハウジング３０の上面によって支持されている。インクチューブ２１は、開口部配設部材２４Ａに対し第1固定位置としての固定部２５で固定されており、この固定部２５とヘッドユニット１５（より具体的には、第２固定位置としての中継アダプター１９）との間におけるインクチューブ２１の引き回し区間Ｃ１において、インクチューブ２１が、ヘッドユニット１５の移動動作に伴って変形する様になっている。
【００５５】
インクタンク３２と固定部２５との間におけるインクチューブ２１の引き回し区間Ｃ２では、インクチューブ２１は、固定部２５から給紙口１２（但しエッジガイド１３の裏側（用紙側端を規制しない側））を通り、ハウジング３０の外側に出て、インクタンク３２へと向かう。尚、本実施形態ではインクチューブ２１は給紙口１２の左側（装置前方側から見て左側）からハウジング３０の外に出ているが、給紙口１２の右側からハウジング３０の外に出ても良い。この場合、インクタンク３２は装置右側に取り付けても良い。
【００５６】
この様に本実施形態によれば、インクチューブ２１は、ヘッドユニット１５の移動領域における少なくとも一部の移動領域上部を露呈させる開口部３１を跨がって配設される開口部配設部材２４Ａにより位置が規制されるので、開口部３１を利用してインクチューブの位置を規制することで、インクチューブ２１の無駄な引き回しを抑えることができる。加えて、開口部配設部材２４Ａは開口部３１を跨がって配設され、即ち両端支持されるので、開口部配設部材２４Ａの変形、特に撓みを効果的に抑えることができ、インクチューブをより適切に固定できる。
【００５７】
また本実施形態では、インクチューブ２１は、用紙差し込み口としての給紙口１２からハウジング３０の外側に出てインクタンク３２へと向かうので、インクチューブ２１を装置後方側からインクタンク３２に向かわせることにより、装置前方側の外観をシンプルにすることができる。
【００５８】
■■■第２実施形態■■■
図２のインクジェットプリンター１Ｂにおいて、開口部配設部材２４Ｂは、装置前方寄りの開口部３１ｂにおいて左右方向に開口部３１ｂを跨がって設けられ、開口部３１ｂの左右においてハウジング３０の上面によって支持されている。インクチューブ２１は、開口部配設部材２４Ｂに対し固定部２５で固定されており、この固定部２５とヘッドユニット１５との間におけるインクチューブ２１の引き回し区間Ｃ１において、インクチューブ２１が、ヘッドユニット１５の移動動作に伴って変形する様になっている。
【００５９】
インクタンク３２と固定部２５との間におけるインクチューブ２１の引き回し区間Ｃ２では、インクチューブ２１は、固定部２５から、ハウジング３０上面において開口部３１ｂの両側に設けられた凹部３０ｃを通り、装置側面に設けられたインクタンク３２へと向かう。
【００６０】
尚本実施形態では、インクタンク３２Ａ、３２Ｂが本体左側面に設けられ、インクタンク３２Ｂ、３２Ｃが本体右側面に設けられている。そして４本のインクチューブのうち２本のインクチューブ２１Ａ、２１Ｂが固定部２５から左方向に向かい、インクタンク３２Ａ、３２Ｂに接続される。また残りのインクチューブ２１Ｃ、２１Ｄが固定部２５から右方向に向かい、インクタンク３２Ｃ、３２Ｄに接続される。
【００６１】
凹部３０ｃでは、各インクチューブは、固定部２６により固定される。この固定部２６は、インクチューブが通る隙間を有しており、これによりスキャナユニット３を閉じても各インクチューブが潰れない様になっている。尚、この隙間はインクチューブの外径以上に設定されるが、外径未満であっても、インクチューブが或る程度潰れた際にインク流路を遮断しない様な隙間であれば良い。
【００６２】
この様に本実施形態によれば、インクチューブ２１は開口部３１を跨がって配設される開口部配設部材２４Ｂにより位置が規制されるので、開口部３１を利用してインクチューブの位置を規制することで、インクチューブ２１の無駄な引き回しを抑えることができる。加えて、開口部配設部材２４Ｂは開口部３１を跨がって配設され、即ち両端支持されるので、開口部配設部材２４Ｂの変形、特に撓みを効果的に抑えることができ、インクチューブをより適切に固定できる。
【００６３】
■■■第３実施形態■■■
図３のインクジェットプリンター１Ｃにおいて、開口部配設部材２４Ｃは、装置前後方向に開口部３１を跨がって設けられ、開口部３１の前後においてハウジング３０の上面とパネルユニット８の上部とによって支持されている。インクチューブ２１は、開口部配設部材２４Ｃに対し固定部２５で固定されており、この固定部２５とヘッドユニット１５との間におけるインクチューブ２１の引き回し区間Ｃ１において、インクチューブ２１が、ヘッドユニット１５の移動動作に伴って変形する様になっている。
【００６４】
インクタンク３２と固定部２５との間におけるインクチューブ２１の引き回し区間Ｃ２では、インクチューブ２１は、固定部２５から、ハウジング３０上面において開口部３１ｂの両側に設けられた凹部３０ｃを通り、装置側面に設けられたインクタンク３２へと向かう。
【００６５】
尚本実施形態では、インクタンク３２Ａ、３２Ｂが本体左側面に設けられ、インクタンク３２Ｂ、３２Ｃが本体右側面に設けられている。そして４本のインクチューブのうち２本のインクチューブ２１Ａ、２１Ｂが固定部２５から左方向に向かい、インクタンク３２Ａ、３２Ｂに接続される。また残りのインクチューブ２１Ｃ、２１Ｄが固定部２５から右方向に向かい、インクタンク３２Ｃ、３２Ｄに接続される。
【００６６】
凹部３０ｃでは、各インクチューブは、固定部２６により固定される。この固定部２６は、インクチューブが通る隙間を有しており、これによりスキャナユニット３を閉じても各インクチューブが潰れない様になっている。尚、この隙間はインクチューブの外径以上に設定されるが、外径未満であっても、インクチューブが或る程度潰れた際にインク流路を遮断しない様な隙間であれば良い。
【００６７】
この様に本実施形態によれば、インクチューブ２１は、開口部３１を跨がって配設される開口部配設部材２４Ｃにより位置が規制されるので、開口部３１を利用してインクチューブの位置を規制することで、インクチューブ２１の無駄な引き回しを抑えることができる。加えて、開口部配設部材２４Ｃは開口部３１を跨がって配設され、即ち両端支持されるので、開口部配設部材２４Ｃの変形、特に撓みを効果的に抑えることができ、インクチューブをより適切に固定できる。
【００６８】
尚、装置前後方向に開口部３１を跨がって設けられる開口部配設部材２４Ｃは、図３の例では装置左右方向において開口部３１の中央近傍に設けられているが、符号２４Ｃ-1（仮想線）や符号２０Ｃ-2（仮想線）で示す様に装置左右方向において開口部３１の右寄り或いは左寄り（端部近傍）に設けても良い。
【００６９】
■■■第４実施形態■■■
図４のインクジェットプリンター１Ｄにおいて、開口部配設部材２４Ｄは、上記第３実施形態に係る開口部配設部材２４Ｃと同様に、装置前後方向に開口部３１を跨がって設けられ、開口部３１の前後においてハウジング３０の上面とパネルユニット８の上部とによって支持されている。インクチューブ２１は、開口部配設部材２４Ｄに対し固定部２５で固定されており、この固定部２５とヘッドユニット１５との間におけるインクチューブ２１の引き回し区間Ｃ１において、インクチューブ２１が、ヘッドユニット１５の移動動作に伴って変形する様になっている。
【００７０】
本実施形態において上記第３実施形態と異なる点は、インクタンク３２と固定部２５との間におけるインクチューブ２１の引き回し区間Ｃ２において、インクチューブ２１が排紙口５からハウジング３０の外側に出て、インクタンク３２に向かう点である。
【００７１】
尚、排紙口５の内側では、インクチューブ２１は、図示する様に排紙口４の左側壁に沿って設けられても良いし、或いは他の形態として右側壁に沿って設けられても良い。或いは、パネルユニット８の下端に沿う様に設けられても良いし、或いは排紙口５の下面に沿って設けられても良い。その際、インクチューブ２１は固定することもできるし、固定しなくても良い。固定する場合には、粘着テープや接着剤による固定など、種々の固定方法を採用できる。
【００７２】
■■■第５実施形態■■■
図５のインクジェットプリンター１Ｅにおいて、開口部配設部材２４Ｅは、装置前後方向及び装置左右方向の双方向に対して交差する方向に（即ち斜めに）開口部３１を跨がって設けられ、一端側がハウジング３０の上面により、他端側がパネルユニット８を支持するパネルユニット支持部３０ｂ（ハウジング３０に設けられている）により、それぞれ支持されている。
【００７３】
インクチューブ２１は、開口部配設部材２４Ｅに対し固定部２５で固定されており、この固定部２５とヘッドユニット１５との間におけるインクチューブ２１の引き回し区間Ｃ１において、インクチューブ２１が、ヘッドユニット１５の移動動作に伴って変形する様になっている。
【００７４】
インクタンク３２と固定部２５との間におけるインクチューブ２１の引き回し区間Ｃ２では、インクチューブ２１は、固定部２５から給紙口１２（但しエッジガイド１３の裏側（用紙側端を規制しない側））を通り、インクタンク３２へと向かう。
【００７５】
この様に本実施形態によれば、インクチューブ２１は、開口部３１を跨がって配設される開口部配設部材２４Ｅにより位置が規制されるので、開口部３１を利用してインクチューブの位置を規制することで、インクチューブ２１の無駄な引き回しを抑えることができる。加えて、開口部配設部材２４Ｅは開口部３１を跨がって配設され、即ち両端支持されるので、開口部配設部材２４Ｅの変形、特に撓みを効果的に抑えることができ、インクチューブをより適切に固定できる。
【００７６】
また本実施形態では、インクチューブ２１は、用紙差し込み口としての給紙口１２からハウジング３０の外側に出てインクタンク３２へと向かうので、インクチューブ２１を装置後方側からインクタンク３２に向かわせることにより、装置前方側の外観をシンプルにすることができる。
【００７７】
■■■第６実施形態■■■
図６のインクジェットプリンター１Ｆにおいて、開口部配設部材２４Ｆは、装置前後方向に開口部３１を跨がって設けられ、一端側がハウジング３０の上面により、他端側がパネルユニット８を支持するパネルユニット支持部３０ｂにより、それぞれ支持されている。
【００７８】
但し本実施形態では、開口部配設部材２４Ｆの形状は直線状ではなく、装置前後方向に延びる部分と装置左右方向に延びる部分とを備えた非直線状を成し、より具体的にはＬ字形状を２つ接続した様な形状となっている。
【００７９】
インクチューブ２１は、開口部配設部材２４Ｆに対し固定部２５Ａ、２５Ｂで固定されており、固定部２５Ａとヘッドユニット１５との間におけるインクチューブ２１の引き回し区間Ｃ１において、インクチューブ２１が、ヘッドユニット１５の移動動作に伴って変形する様になっている。
【００８０】
固定部２５Ａと固定部２５Ｂとの間におけるインクチューブ２１の取り回し区間Ｃ２は、開口部配設部材２４Ｆに絡まる様に配設されており、固定部２５Ｂとインクタンク３２との間におけるインクチューブ２１の引き回し区間Ｃ３では、インクチューブ２１は、装置左側からハウジング３０の外に出て、装置左側面に設けられたインクタンク３２へと向かう。
【００８１】
この様に本実施形態によれば、インクチューブ２１は開口部３１を跨がって配設される開口部配設部材２４Ｆにより位置が規制されるので、開口部３１を利用してインクチューブ２１の位置を規制することで、インクチューブ２１の無駄な引き回しを抑えることができる。加えて、開口部配設部材２４Ｆは開口部３１を跨がって配設され、即ち両端支持されるので、開口部配設部材２４Ｆの変形、特に撓みを効果的に抑えることができインクチューブをより適切に固定できる。
【００８２】
■■■第７実施形態■■■
図７のインクジェットプリンター１Ｇは、上述した第１〜第６実施形態とは全体構成が異なり、具体的には装置上部にスキャナユニットを備えていない、所謂単機能プリンターである。
【００８３】
ハウジング３４には開口部３４ａが形成されており、この開口部３４ａは、ヘッドユニット１７の移動領域の一部における装置上方側と装置前方側とを露呈させている。そしてハウジング３４には開口部３４ａを開閉できる開閉体としてのカバー３５が設けられている。  
本実施形態において開口部配設部材２４Ｇは、ハウジング３４の前面において開口部３４ａを跨がって設けられ、即ち両端支持された状態となっている。
【００８４】
インクチューブ２１は、開口部配設部材２４Ｇに対し固定部２５で固定されており、固定部２５とヘッドユニット１５との間におけるインクチューブ２１の引き回し区間Ｃ１において、インクチューブ２１が、ヘッドユニット１５の移動動作に伴って変形する様になっている。尚、固定部２５は、開口部配設部材２４Ｇの裏側に設けられている。
【００８５】
固定部２５とインクタンク３２との間におけるインクチューブ２１の引き回し区間Ｃ２では、インクチューブ２１は、開口部３４ａの左側からハウジング３４の左側上面に出て、そしてハウジング３４の左側に出て装置左側面に設けられたインクタンク３２へと向かう。
【００８６】
ここで、開口部配設部材２４の上端Ｔ２は、ハウジング３４の上面Ｔ１よりも所定量上方に突出している。これによりカバー３５が閉じたとき、当該カバー３５とハウジング３４の上面Ｔ１との間でインクチューブ２１を挟み込まない（インクチューブ２１が潰れない）様になっている。尚、カバー３５とハウジング３４との間に形成される、インクチューブ２１が通る隙間は、インクチューブ２１の外径以上であることが好ましいが、外径未満であっても、インクチューブが或る程度潰れた際にインク流路を遮断しない様な隙間であれば良い。
【００８７】
以上の様に本実施形態によれば、インクチューブ２１は開口部３４ａを跨がって配設される開口部配設部材２４Ｇにより位置が規制されるので、開口部３４ａを利用してインクチューブ２１の位置を規制することで、インクチューブ２１の無駄な引き回しを抑えることができる。加えて、開口部配設部材２４Ｇは開口部３４ａを跨がって配設され、即ち両端支持されるので、開口部配設部材２４Ｇの変形、特に撓みを効果的に抑えることができる。
【００８８】
■■■構成要素のバリエーション■■■
以上説明した各実施形態は一例であり、本発明はこれら各実施形態に限られない。例えば、以上説明し各実施形態における各構成要素は、以下の様なバリエーションを取りうる。但し、以下のバリエーションは一例であり、本発明が以下に記載されたバリエーションに限定されないことは言うまでもない。
【００８９】
（１）第１〜第６実施形態において、開口部配設部材２４Ａ〜２４Ｆは、開口部３１の平面視において、ヘッドユニット１５の移動領域と重なる様に配置することもできるし（図８（Ａ））、或いはヘッドユニット１５の移動領域から外れる様に配置することもできる（図８（Ｂ））。尚、上記各実施形態では、第２実施形態に係る開口部配設部材２４Ｂはヘッドユニット１５の移動領域から外れており、その他の実施形態に係る開口部配設部材は、ヘッドユニット１５の移動領域と少なくとも一部で重なっている。
【００９０】
（２）開口部配設部材２４Ａ〜２４Ｇは、インクチューブ２１の位置を規制する規制部材として機能するが、インクチューブ２１を固定する為の部材として機能しても良いし、インクチューブ２１を支持する部材として機能しても良いし、インクチューブ２１をガイドする部材として機能しても良い。或いは、インクチューブ２１を載置する為の部材として機能しても良いし、インクチューブ２１を吊り下げる為の部材として機能しても良い。
【００９１】
具体的には、図９（Ａ）は開口部配設部材２４Ａ〜２４Ｇ（図９では符号２４で図示：以下「開口部配設部材２４」とする）によってインクチューブ２１をガイドする例であり、この様にインクチューブ２１は開口部配設部材２４の長手方向に沿って這う様に設けられ、一例として複数の固定部２５で固定される。即ちインクチューブ２１は、開口部配設部材２４によってガイドされる。
【００９２】
図９（Ｂ）は開口部配設部材２４によってインクチューブ２１を固定する例であり、この例ではインクチューブ２１は開口部配設部材２４の長手方向に沿って設けられない（ガイドされない）が、開口部配設部材２４によって固定され、位置が規制される。
【００９３】
図１０（Ａ）は開口部配設部材２４の上側にインクチューブ２１が固定される例（図９（Ａ）の例に相当）であり、図１０（Ｂ）は開口部配設部材２４の上にインクチューブ２１が載置される例である。図１０（Ｂ）では、インクチューブ２１は単に開口部配設部材２４の上に載置されるのみであるが、開口部配設部材２４の上部にピンなどを立ててその間にインクチューブ２１を載置しても良い。
【００９４】
また図１０（Ｃ）は開口部配設部材２４の下側にインクチューブ２１が吊り下げられる例である。更に、図１０（Ｄ）は開口部配設部材２４の上下ではなく側面にインクチューブ２１を固定する例である。この図１０（Ｄ）の例では、全てのインクチューブ２１を開口部配設部材２４の一方側側面に固定しているが、１本或いは複数本のインクチューブ２１を開口部配設部材２４の一方側側面に固定し、残りのインクチューブ２１を開口部配設部材２４の他方側側面に固定しても良い。
【００９５】
（３）インクチューブ２１を開口部配設部材２４に固定する際の固定部２５には、紐、ゴムバンドなどによる固定、クリップ、その他部材を利用した固定、テープによる粘着固定、接着剤に接着固定、など種々の固定方法を用いることができる。
【００９６】
（４）開口部配設部材２４は、ハウジング３０に対して接着固定、ねじ固定を含む種々の固定（取り付け）方法により取り付けることができる。
【００９７】
（５）開口部配設部材２４は、樹脂材料、金属材料、を含む種々の材料により構成することができる。また開口部配設部材２４は、或る程度の幅を有する部材のみならず、ワイヤー或いはワイヤーを複数本束ねたもので構成することもできる。
【００９８】
（６）複数本のインクチューブ２１は、適宜の場所で、紐、ゴムバンド、クリップ等を結束手段として、結束することができる。
【００９９】
（７）上記各実施形態では、吐出するインクを収容したインクタンク３２Ａ〜３２Ｄをインクジェットプリンター本体の側面に配置しているが、インクジェットプリンター本体の側面から離して配置しても良い。また、インクタンク３２Ａ〜３２Ｄの配置位置は、インクジェットプリンター本体の側方のみならず、前方や後方など、適宜の場所に設定できる。
【符号の説明】
【０１００】
１Ａ〜１Ｇ  インクジェットプリンター、２  記録部（装置本体）、３  スキャナユニット、５  排紙口、６  排紙受けトレイ、８  パネルユニット、８ｂ  下縁、９  操作部、１２  給紙口、１３  エッジガイド、１５  ヘッドユニット、１６  記録ヘッド、１７  中継アダプター収容部、１９Ａ〜１９Ｄ  中継アダプター、２１（２１Ａ〜２１Ｄ）  インクチューブ、２４Ａ〜２４Ｇ  開口部配設部材、２５、２５Ａ、２５Ｂ  固定部、２６  固定部、３０  ハウジング、３０ｂ  パネルユニット支持部、３０ｃ  凹部、３１、３１ａ、３１ｂ  開口部、３２Ａ〜３２Ｄ  インクタンク、３４  ハウジング、３４ａ  開口部、３５  カバー
【図１】
2013154573.tif 000003
【図２】
2013154573.tif 000004
【図３】
2013154573.tif 000005
【図４】
2013154573.tif 000006
【図５】
2013154573.tif 000007
【図６】
2013154573.tif 000008
【図７】
2013154573.tif 000009
【図８】
2013154573.tif 000010
【図９】
2013154573.tif 000011
【図１０】
2013154573.tif 000012